(57)【特許請求の範囲】
【請求項１】
駐車場料金精算機の接客面を覗かせる開口部を有する正面板を備え前記駐車場料金精算機を収容するプロテクタであって、
前記開口部の口縁部にはプロテクタの内方に向け突出する鍔部が形成され、
前記鍔部には透光窓が穿設され、
前記正面板の裏面側には光源が設置されており、
前記光源により前記透光窓を通じて前記接客面が照明されることを特徴とするプロテクタ。
【請求項２】
請求項１に記載のプロテクタであって、
前記透光窓を覆うべき透明体または半透明体の透光板を備えたことを特徴とするプロテクタ。
【請求項３】
請求項１または２に記載のプロテクタであって、
前記鍔部の少なくとも前記透光窓を備えた部分が前記接客面との直交面に対し前記接客面側に傾斜していることを特徴とするプロテクタ。
【請求項４】
請求項１ないし３のいずれかに記載のプロテクタであって、
前記接客面の少なくとも一部を覆うべき接客面防護部が前記鍔部に延設され、前記光源により前記接客面防護部の外側面が照明されることを特徴とするプロテクタ。
【発明の詳細な説明】
【０００１】
【発明の属する技術分野】
本発明は、駐車場料金精算機を破壊や盗難から防護するためのプロテクタに関する。
【０００２】
【従来の技術】
駐車場料金精算機（以下適宜「精算機」という。）は、無人の駐車場に設置されることが多く、かつ飲料自動販売機などに比べ高額の料金を扱うことから、その破壊や盗難を防止する必要性が高い。この目的から従来、駐車場料金精算機を収容する函状のプロテクタが広く用いられている。
【０００３】
プロテクタの正面板には、駐車場料金精算機の正面の接客面に利用者が直接アクセスできるようにするため、接客面を覗かせる開口部が設けられている。
【０００４】
ところで、プロテクタはその目的から堅牢でなければならず、かつ窃盗意欲を減退させる必要や、精算機への雨水の浸入を抑制する必要もあって、その各面が厚手に構成されている。このため、正面板の開口部の口縁部にはプロテクタの内方に向け突出する鍔部が形成され、精算機の操作面はプロテクタの正面板から奥まった位置にされている。
【０００５】
【発明が解決しようとする課題】
しかし、精算機の操作面がプロテクタの正面板から奥まった位置にあるため、とくに地下の駐車場や夜間時のように周囲の光源が少ない場合には、操作面の表示が暗くなり、操作面の各種の表示や注意書きが読みづらく操作性が悪いという問題点があった。また、鍔部に蛍光灯などの光源を設けるのでは、光源が破壊されやすくなってしまう。
【０００６】
そこで本発明の目的は、プロテクタの堅牢性や窃盗意欲減退効果を維持しつつ、その表示や注意書きの可読性を高め操作性を向上することにある。
【０００７】
【課題を解決するための手段】
第１の本発明は、駐車場料金精算機の接客面を覗かせる開口部を有する正面板を備え前記駐車場料金精算機を収容するプロテクタであって、前記開口部の口縁部にはプロテクタの内方に向け突出する鍔部が形成され、前記鍔部には透光窓が穿設され、前記正面板の裏面側には光源が設置されており、前記光源により前記透光窓を通じて前記接客面が照明されることを特徴とするプロテクタである。
【０００８】
第１の本発明では、プロテクタの鍔部に形成された透光窓を通じて、光源により接客面が照明されるので、接客面の表示や注意書きの可読性を高め操作性を向上することができ、また光源が正面板およびその鍔部の内側（プロテクタの内側）に設置されているので、光源が破壊されるおそれを低減できる。
【０００９】
第２の本発明は、第１の本発明のプロテクタであって、前記透光窓を覆うべき透明体または半透明体の透光板を備えたことを特徴とするプロテクタである。
【００１０】
第２の本発明では、透光窓を覆うべき透明体または半透明体の透光板を備えたので、光源が破壊されるおそれを更に低減できる。
【００１１】
第３の本発明は、第１または第２の本発明のプロテクタであって、前記鍔部の少なくとも前記透光窓を備えた部分が前記接客面との直交面に対し前記接客面側に傾斜していることを特徴とするプロテクタである。
【００１２】
第３の本発明では、鍔部の少なくとも透光窓を備えた部分を、精算機の接客面との直交面に対し接客面側に傾斜させたので、透光窓を通じた照明効果を高めることができる。
【００１３】
第４の本発明は、第１ないし第３のいずれかの本発明のプロテクタであって、前記接客面の少なくとも一部を覆うべき接客面防護部が前記鍔部に延設され、前記光源により前記接客面防護部の外側面が照明されることを特徴とするプロテクタである。
【００１４】
第４の本発明では、精算機の接客面の少なくとも一部を覆うべき接客面防護部を鍔部に延設したので、接客面に対する防護性を向上できる。
【００１５】
【発明の実施の形態】
本発明の好適な実施形態について、以下に図面を参照しながら説明する。図１において、本発明の実施形態に係る駐車場料金精算機用のプロテクタ１は、略六面体をなしており、いずれも鋼板からなる上面板２、左右の側面板３、底面板４、正面板５、および図示しない背面板から構成されている。正面板５は、図示しない蝶板によりＡ線を軸として開閉自在にされており、また側面板３には、正面板５を閉止状態にロックするためのロック爪６、およびこれを操作するためのハンドル７が設けられている。底面板４は地面にボルト留めされている。
【００１６】
プロテクタ１の内側には、駐車場料金精算機１０が、底面板４に対するボルト留めにより固定される。駐車場料金精算機１０は、利用者が操作のためにアクセスするための接客面１１，１２を備えており、接客面１１には蛍光管からなる投入料金表示部１３、駐車位置番号や領収書発行要求を入力するための押しボタンスイッチからなる入力部１４、プリペイドカードを挿入するためのカード挿入部１５、硬貨を投入するための硬貨投入口１６、紙幣を投入するための紙幣投入口１７、および各種の表示灯類が設けられている。また接客面１１には、料金や操作方法を示す文字や図形などの図示しない注意書き類が印刷されている。他方、接客面１２には、領収書や釣り銭を返却するための取り出し口１８が設けられている。
【００１７】
正面板５には、駐車場料金精算機１０の接客面を覗かせるべき開口部２１が形成されると共に、開口部２１の口縁部からは、プロテクタ１の内方に向け突出する鍔部２２が形成されており、さらに鍔部２２の先端には、接客面防護部２３が形成されている。鍔部２２と接客面防護部２３とは、単一部材の板材の曲げ加工により継ぎ目なく一体的に形成されている。
【００１８】
接客面防護部２３には、駐車場料金精算機１０の投入料金表示部１３・入力部１４・カード挿入部１５・硬貨投入口１６・紙幣投入口１７および各種の表示灯類の位置および形状に対応して、各種の透孔２４が設けられている。また正面板５の下部には、開口部２５および鍔部２６が設けられている。接客面防護部２３の外側には、駐車場料金精算機１０の接客面１１に印刷されているのと同様の注意書き類が印刷されている。
【００１９】
鍔部２２の上面をなす上面鍔部２７には、透光窓２８が穿設され、また透光窓２８の下側には、この透光窓２８を覆うべき乳白色の半透明体の透光板２９（図２参照）が固定されている。また透光窓２８の上方であって正面板５の裏面側には、断面Ｌ字形の取付板３０を介して、蛍光灯３１が下向きに固定されている。
【００２０】
以上のとおり構成された本実施形態のプロテクタ１では、接客面１１を覗かせるべき開口部２１の口縁部からプロテクタ１の内方に向け突出する鍔部２２が形成され、鍔部２２の上面をなす上面鍔部２７には透光窓２８が穿設され、透光窓２８の上方であって正面板５の裏面側には蛍光灯３１を配置したので、正面板５を閉じた状態で蛍光灯３１を点灯すると、その光が透光窓２８を透過し、これにより接客面防護部２３の外側面が照明される。したがって本実施形態では、接客面防護部２３の表示や注意書きの可読性を高め操作性を向上することができる。また本実施形態では、蛍光灯３１が正面板５およびその鍔部２２ないし上面鍔部２７の内側（プロテクタ１の内側）に設置されているので、蛍光灯３１が破壊されるおそれを低減できる。
【００２１】
また本実施形態では、透光窓２８を覆うべき透光板２９を備えたので、蛍光灯３１が破壊されるおそれを更に低減できる。
【００２２】
また本実施形態では、接客面１１の少なくとも一部を覆うべき接客面防護部２３を鍔部２２に延設したので、接客面１１に対する防護性を向上できる。なお、図３に示すように、接客面防護部２３を設けずに、鍔部２２を筒状としてもよい。
【００２３】
また、本実施形態の変形例として、図４に示すように、接客面１１が後方に傾斜しているタイプの駐車場料金精算機４０に本発明を適用する場合には、鍔部４２の一部をなす上面鍔部２７が、接客面４１との直交面Ｂに対し接客面４１側に傾斜していることとしてもよい。この場合には、透光窓４８を通じた照明効果を高めることができる。
【００２４】
なお、上記実施形態および各変形例では、透光板２９は上面鍔部２７，透光窓４８の下面側に設けたが、透光板２９は上面鍔部２７，透光窓４８の上面側に設けてもよい。また上記実施形態および各変形例では透光板２９を乳白色の半透明体としたので、光の拡散により接客面１１，４１や接客面防護部２３の外側をむらなく照明できるが、透光板２９は透明体としてもよい。
【００２５】
また、蛍光灯３１ないし光源のための電源はプロテクタの外部に引き出した適宜のケーブルにより供給することになるが、このケーブルのプラグをセットするための雌コネクタを駐車場料金精算機１０に一体的に設けたり、あるいは蛍光灯のケーブルを外部に引き出すと共に駐車場料金精算機１０のケーブルのプラグをセットするための雌コネクタを、蛍光灯３１からのケーブルの中途であるプロテクタ１の内部や蛍光灯３１に設けることとすれば、プロテクタ１から外部に引き出すケーブルを一組にすることができ好適である。
【００２６】
また、透光窓２８，４８および／または透光板２９とは、上面鍔部２７でなく、側面や下面の鍔部２２に設けてもよい。また、蛍光灯３１ないし光源は正面板５でなく上面鍔部２７の裏面側（上面側）に固定しても同様の効果を得ることができ、かかる構成も本発明の範疇に属するものである。
【図面の簡単な説明】
【図１】  実施形態のプロテクタの使用状態を示す斜視図である。
【図２】  プロテクタの要部を示す一部切欠した右側面図である。
【図３】  変形例のプロテクタの要部を示す一部切欠した右側面図である。
【図４】  他の変形例のプロテクタの要部を示す一部切欠した右側面図である。
【符号の説明】
１  プロテクタ、５  正面板、１０，４０  駐車場料金精算機、１１，１２，４１  接客面、２２，２６  鍔部、２３  接客面防護部、２４  透孔、２７  上面鍔部、２８  透光窓、２９  透光板、３１  蛍光灯。
【図１】
0004012396.tif 000002
【図２】
0004012396.tif 000003
【図３】
0004012396.tif 000004
【図４】
0004012396.tif 000005